(57)【要約】過形成を治療する方法を提供する。血管介入的手順に関連する、新生内膜過形成を低減する方法を提供する。企図する製剤は、蛋白質と少なくとも１種の製薬上活性な薬剤を含む。
2005504008.tif 000002
【特許請求の範囲】
【請求項１】
過形成の治療を必要とする対象において過形成を治療する方法であって、前記方法が、前記対象に有効量の、薬物と蛋白質とを含む組成物を投与することを含む、上記方法。
【請求項２】
前記薬物が、ナノ粒子形態を有し、前記蛋白質中に分散している、請求項１に記載の方法。
【請求項３】
前記過形成が、血管新生内膜で生じる、請求項１に記載の方法。
【請求項４】
前記有効量が、ヒト対象で約０．０１ｍｇ／ｋｇ〜約１５ｍｇ／ｋｇの範囲にある、請求項１に記載の方法。
【請求項５】
前記組成物の前記投与が、１日から６ヶ月の投与サイクルで繰り返される、請求項４に記載の方法。
【請求項６】
前記組成物が全身投与される、請求項１に記載の方法。
【請求項７】
投与が、動脈内経由、静脈内経由、吸入、又は経口で行われる、請求項６に記載の方法。
【請求項８】
前記組成物が、前記過形成の発生の前、間、又は後に投与される、請求項１に記載の方法。
【請求項９】
新生内膜過形成を低減させる必要がある対象において、血管介入的処置に関連する新生内膜過形成を低減させる方法であって、前記方法が、前記対象に有効量の、少なくとも１種の薬物と蛋白質とを含む組成物を投与することを含む、上記方法。
【請求項１０】
前記処置が、血管形成術、ステント術、又は粥腫切除を含む、請求項９に記載の方法。
【請求項１１】
前記組成物が、血管介入的処置の前、途中、又は後に投与される、請求項９に記載の方法。
【請求項１２】
前記組成物が、血管介入的処置の時に投与される、請求項９に記載の方法。
【請求項１３】
前記有効量が、ヒト対象で、約０．０１ｍｇ／ｋｇ〜約１５ｍｇ／ｋｇの範囲にある、請求項９に記載の方法。
【請求項１４】
前記組成物の前記投与が、１日から６ヶ月の投与サイクルで繰り返される、請求項１３に記載の方法。
【請求項１５】
前記組成物が全身投与される、請求項９に記載の方法。
【請求項１６】
前記組成物が、前記の少なくとも１種の薬物をその上に被覆したステントを配置することによって投与される、請求項９に記載の方法。
【請求項１７】
血管介入的処置を行っている対象で、細胞の増殖及び遊走を低減させる方法であって、前記方法が、前記対象に、増殖及び細胞の遊走を阻害する薬物と生体適合性蛋白質とを含む製剤を、前記処置の前、間、又は後に全身投与することを含む方法。
【請求項１８】
組成物が少なくとも１種の薬物と蛋白質とを含む、過形成を治療するための組成物。
【請求項１９】
前記少なくとも１種の薬物が、ナノ粒子形態を有し、前記蛋白質中に分散している、請求項１８に記載の組成物。
【請求項２０】
前記過形成が血管新生内膜内で生じている、請求項１８に記載の組成物。
【請求項２１】
前記薬物が、タキサン又はその類似物もしくは同等物、エポシロン又はその類似物もしくは同等物、或いはラパマイシン又はその類似物もしくは同等物である、請求項１８に記載の組成物。
【請求項２２】
前記タキサンがパクリタキセルである、請求項２１に記載の組成物。
【請求項２３】
前記組成物が全身投与に適している、請求項１８に記載の組成物。
【請求項２４】
投与が、動脈内経由、静脈内経由、吸入、又は経口で行われる、請求項２３に記載の組成物。
【請求項２５】
血管介入的処置に関連する新生内膜過形成を低減させるための組成物であって、前記組成物が、少なくとも１種の薬物と蛋白質とを含む上記組成物。
【請求項２６】
前記処置が、血管形成術、ステント術、又は粥腫切除である、請求項２５に記載の組成物。
【請求項２７】
前記組成物が全身投与に適している、請求項２５に記載の組成物。
【請求項２８】
投与が、動脈内経由、静脈内経由、吸入、又は経口で行われる、請求項２７に記載の組成物。
【請求項２９】
細胞の増殖及び遊走を阻害する薬物の毒性を低減させるための方法であって、前記方法が、前記薬物と生体適合性蛋白質とを混合することを含む上記方法。
【請求項３０】
毒性が低減された製剤であって、前記製剤が、増殖及び細胞の遊走を阻害する薬物と生体適合性蛋白質とを含む製剤。
【発明の詳細な説明】
【技術分野】
【０００１】
本出願は、１９９７年６月２７日出願の米国出願第６０／０５１，０２１号に対して優先権を主張している国際出願ＵＳ９８／１３２７２号に対して優先権を主張している、現在係属中の２０００年５月１６日出願の米国特許出願第０９／４４６，７８３号の一部継続出願である。その各々の全体を参照により本明細書に組み込む。
【０００２】
本発明は、過形成を治療するための方法、及びそのために有用な組成物に関する。
【背景技術】
【０００３】
冠動脈アテローム性動脈硬化症は、プラークと称される脂肪の蓄積によって生じ、このプラークは、心筋に血液を供給する冠動脈を通る血流の利用可能な横断面を狭くする。この症状を有する患者を治療するために、心臓外科医は、しばしば、冠動脈バイパス移植術（ＣＡＢＧ）と称する方法を利用する。通常、患者の脚から伏在静脈を採取し、サイズを整え、動脈に移植し、それによって閉塞部を迂回する。この方法は、一般的には有効であるが、感染から死に至るまでの様々な危険があり、通常、通みの残る閉鎖創を伴う。
【０００４】
状況によっては、介入的治療を行う心臓専門医なら閉塞部を迂回するよりは、経皮的冠動脈拡張術（ＰＴＣＡ）と称する、侵襲が最小限の術式を利用しての閉塞部の処置を選択する。ＰＴＣＡでは、通常、カテーテルを患者の脚の大腿動脈に挿入し、閉塞している冠動脈に挿し通して拡張する。プラークが血管壁内に圧入され、それにより動脈の管腔又は血流横断面が広げられる。方向性冠動脈粥腫切除術（ＤＣＡ）と称する、それよりは一般的でない術式を、ＰＴＣＡと共に、又はその代わりに利用して、文字通り血管壁からプラークを切除することもできる。石灰化した冠動脈を処置するために、回転性冠動脈粥腫切除術（ＲＣＡ）と称する関連技術を利用して、石灰化したプラークを高速ローターバーにより除去することもできる。残念ながら、これらの方法に対する身体応答として、例えば、ＰＴＣＡ部位での血栓症、又は血液凝固、及び瘢痕組織の形成、或いは他の外傷誘発性組織反応がしばしば見られる。統計によれば、瘢痕組織による動脈の再狭窄、又は再狭小化が、治療した患者の少なくとも半数で、こうした手順からわずか６ヶ月以内に生じているl。血管形成術、粥腫切除、又はステント留置の結果としての損傷血管の再狭窄は、平滑筋細胞の増殖、及び平滑筋細胞の血管損傷部位への遊走が関与する正常な治癒応答の結果である。パクリタキセル（ｐａｃｌｉｔａｘｅｌ）は、血管平滑筋細胞の遊走及び増殖を減退させることによって、再狭窄を防止する、又はその程度を最小限に抑えることが実証されている。
【０００５】
再狭窄を予防するために、心臓専門医は、しばしば、冠動脈内ステントと称する小さな金属製管状器具をＰＴＣＡ部位に留置する。ステントは、介入的方法、通常はバルーン血管形成術後の血管の開存性を維持する足場デバイスである。ステントは、周囲の再構築によって、初期の弾性反跳（ｒｅｃｏｉｌ）又は解離（ｄｉｓｓｅｃｔｉｏｎ）を減らし、後期の管腔損失を取り除く機械的な足場を提供する2,3。冠動脈ステント術は、現在、非外科的心筋血管再生術を受けている患者の５０％を超える者に使用されている4。それは、冠動脈再建術に対する通常の補助策と見なされている。１９９８年、米国では推定５０万人の患者の体内に冠動脈ステントが留置され、患者一人当たり平均１．７個のステントが挿入された5。
【０００６】
いくつかの臨床研究の結果によれば、再狭窄の割合は、冠動脈ステントの使用によって、特定の適応症では著しく低減されることが示唆されている。最初に公表された研究のうちで、冠動脈ステント術を用いた、ベネステント（Ｂｅｎｅｓｔｅｎｔ）及びステント再狭窄試験（ＳＴＲＥＳＳ）調査において、それぞれ３３％及び２５％の再狭窄率が報告された6。その後の研究で、ＰＴＣＡだけのグループでは３４％であったのに対して、ステントを受け入れた急性心筋梗塞の患者では１１％が再狭窄を経験したと報告された7。
【０００７】
しかし、ステントに合併症が無い訳ではない。積極的な抗血小板療法により、初期ステント血栓症は最小限に抑えられるものの、ステント内再狭窄が、ステント術に対する最も重大な欠点を提示する。再狭窄は、ステントの格子による新生内膜の増殖によって生じる。これは、全ての患者にある程度は生じるが、多くの場合、動脈が閉塞する前に進行は止まる。再狭窄は、瘢痕組織が極めて盛んに増殖した患者に生じる。一般に、他の介入的な冠血管処置が必要となる。
【０００８】
強力な抗悪性腫瘍薬であるパクリタキセル（タキソール（商標））は、卵巣癌、乳癌、及び他の癌の治療用に認可されている8。２件の予備的試験により、ブタ冠動脈においてステント内再狭窄を低減させるためのパクリタキセルの使用が調査されている9,10。徐放性パクリタキセルを含む生分解性ポリマー（１７５〜２００μｇ／ステント、０．７５μｇ／日の割合で放出すると推定される）で被覆されたステントは、４週間目の狭窄の直径及び新生内膜の面積の減少と関連付けられた。局所的な病理学的影響が存在したか否かは不明である。別の研究10では、パクリタキセルを直接（生分解性ポリマーなしに）ステントに塗布して冠動脈中に配置した。１５及び９０μｇのパクリタキセル・ステントにより管腔領域が増大され、９０μｇのパクリタキセル・ステントにより新生内膜領域の有意な減少が見られた。しかし、９０μｇのパクリタキセルで被覆したステントでは、有意な局所的細胞障害作用が観察された。
【０００９】
ステントを介するパクリタキセルの局所的送達は魅力的であり、ヒトでの臨床試験が目下ヨーロッパで行われているが、この手法に対する熱狂は、動脈治癒が遅れる可能性があることによって軽減してきている。さらに、局所的に投与されたパクリタキセルの潜在的な毒性作用は、局所的な異物として作用するステントの存在によって高められる。最後に、被覆したステントからの長期にわたるパクリタキセルのｉｎ  ｖｉｖｏでの動脈内放出動態は不明である。
【００１０】
冠動脈再狭窄の治療の市場は、冠動脈ステントの市場と結びついている。冠動脈ステント市場は、最も急成長を続けている米国医療器具市場の一つである。移植されたステントの年間総数は、報告が異なれば引用される数字も異なる。以下の抜粋は、合計で年間５０万から１００万単位と思われる、ステント市場の一般的な全体像である。
【００１１】
「一年間に移植した推定１００万個のうち２０％を超えるステントで閉塞部が生じ、この閉塞部が、ステント術をした動脈を、部分的に又は全体的に閉塞させる恐れがある。」（１９９９年１１月１６日、ＰＲＮｅｗｓｗｉｒｅ，Ｔｈｅ  Ｓｐｅｃｔｒａｎｅｔｉｃｓ  Ｃｏｒｐｏｒａｔｉｏｎ  Ｐｒｅｓｓ  ｒｅｌｅａｓｅ）
【００１２】
「毎年、米国で７０万件を超える血管形成術が行われ、血管に再閉塞の恐れがあるとき、内科医は、こうしたケースの高い割合でステントの使用を考慮する。」（１９９９年１０月２８日、ＰＲＮｅｗｓｗｉｒｅ，Ｍｅｄｔｒｏｎｉｃ，Ｉｎｃ．Ｐｒｅｓｓ  ｒｅｌｅａｓｅ）
【００１３】
「現在、非外科的な心筋血管再生術を受けた患者の５０％を超える割合で、冠動脈ステント術が利用されているl。それは、冠動脈再建術の慣例的な補助策と見なされている。１９９８年、米国で推定５０万人の患者に冠動脈ステントが留置され、患者一人当たり平均１．７個のステントが挿入された。」（「冠血管疾患において高まるステントの役割（Ｔｈｅ  Ｇｒｏｗｉｎｇ  Ｒｏｌｅ  ｏｆ  Ｓｔｅｎｔｓ  ｉｎ  Ｃｏｒｏｎａｒｙ  Ｄｉｓｅａｓｅ）」、Ｔｈｅ  Ｍｅｄｉｃａｌ  Ｊｏｕｒｎａｌ  ｏｆ  Ａｌｌｉｎａ、第８巻３号、１９９９年夏）
【００１４】
ステントは、ほとんどの場合、冠動脈に使用されるが、他の血管にも使用される。最もよく選択される動脈は、頚動脈、腹腔動脈、及び腎動脈である。頚動脈内ステント留置は、いずれ外科的な動脈内膜切除術の代替法になるであろう。しかし、現在、米国心臓協会（ｔｈｅ  Ａｍｅｒｉｃａｎ  Ｈｅａｒｔ  Ａｓｓｏｃｉａｔｉｏｎ）は、臨床試験の場合に限り、頚動脈ステント術の実施を推奨している。確立された術式もガイドラインも存在していない。腹大動脈内ステント留置を、大手術に代わる手段として利用することもでき、その場合、血管内動脈瘤を被覆ステントで封じ込めることができる。ステント術は、腎動脈においても選択可能な手順である。この症例における手術は、良い方法の選択とはいえない。腎動脈にステント術をした患者では、高血圧症の投薬、及び透析の必要性が減少し、かつ腎不全の危険性も減少することが既にわかっている。また、「末梢」ステントの必要性も高まっており、米国で、毎年、１６万人の血液透析患者の７０％は、継続中の治療のために循環器系に対するアクセスを必要とする。遺憾ながら、血管の狭小化は、重要な問題であり、こうした血管の狭窄を低減し、又は予防するための有効な療法がさらに必要とされている。
【００１５】
参照文献
１．Ｓ  Ｇｏｌｄｂｅｒｇら、「冠動脈ステント（Ｃｏｒｏｎａｒｙ  Ａｒｔｅｒｙ  Ｓｔｅｎｔｓ）」Ｌａｎｃｅｔ  ３４５（１９９５）：１５２３−１５２４．
２．Ｓｅｒｒｕｙｓ  ＰＷ，Ｄｅ  Ｊａｅｇｅｒｅ  Ｐ，Ｋｉｅｍｅｎｅｉｊ  Ｆら、ｆｏｒ  ｔｈｅ  Ｂｅｎｅｓｔｅｎｔ  Ｓｔｕｄｙ  Ｇｒｏｕｐ、「冠動脈疾患の患者における、バルーン拡張式ステントの植込みとバルーン血管形成術の比較（Ａ  ｃｏｍｐａｒｉｓｏｎ  ｏｆ  ｂａｌｌｏｏｎ  ｅｘｐａｎｄａｂｌｅ  ｓｔｅｎｔ  ｉｍｐｌａｎｔａｔｉｏｎ  ｗｉｔｈ  ｂａｌｌｏｏｎ  ａｎｇｉｏｐｌａｓｔｙ  ｉｎ  ｐａｔｉｅｎｔｓ  ｗｉｔｈ  ｃｏｒｏｎａｒｙ  ａｒｔｅｒｙ  ｄｉｓｅａｓｅ．）」，Ｎ  Ｅｎｇｌ  Ｊ  Ｍｅｄ．１９９４；３３１：４８９−４９５．
３．Ｆｉｓｃｈｍａｎ  ＤＬ，Ｌｅｏｎ  ＭＢ，Ｂａｉｍ  ＤＳら、ｆｏｒ  ｔｈｅ  Ｓｔｅｎｔ  Ｒｅｓｔｅｎｏｓｉｓ  Ｓｔｕｄｙ  Ｉｎｖｅｓｔｉｇａｔｏｒｓ．「冠動脈疾患の治療における、冠血管ステント留置とバルーン血管形成術の無作為抽出比較（Ａ  ｒａｎｄｏｍｉｚｅｄ  ｃｏｍｐａｒｉｓｏｎ  ｏｆ  ｃｏｒｏｎａｒｙ−ｓｔｅｎｔ  ｐｌａｃｅｍｅｎｔ  ａｎｄ  ｂａｌｌｏｏｎ  ａｎｇｉｏｐｌａｓｔｙ  ｉｎ  ｔｈｅ  ｔｒｅａｔｍｅｎｔ  ｏｆ  ｃｏｒｏｎａｒｙ  ａｒｔｅｒｙ  ｄｉｓｅａｓｅ．）」Ｎ  Ｅｎｇｌ  Ｊ  Ｍｅｄ．１９９４；３３１：４９６−５０１．
４．Ｈｏｌｍｅｓ  ＤＲ  Ｊｒ．Ｈｉｒｓｈｆｅｌｄ  Ｊ  Ｊｒ．Ｆａｘｏｎ  Ｄら、「冠動脈ステントについてのＡＣＣ専門家コンセンサス文書：米国心臓病学会文書（ＡＣＣ  Ｅｘｐｅｒｔ  Ｃｏｎｓｅｎｓｕｓ  ｄｏｃｕｍｅｎｔ  ｏｎ  ｃｏｒｏｎａｒｙ  ａｒｔｅｒｙ  ｓｔｅｎｔｓ：ｄｏｃｕｍｅｎｔ  ｏｆ  ｔｈｅ  Ａｍｅｒｉｃａｎ  Ｃｏｌｌｅｇｅ  ｏｆ  Ｃａｒｄｉｏｌｏｇｙ）」．Ｊ  Ｓｍ  Ｃｏｌｌ  Ｃａｒｄｉｏｌ．１９９８；３２：１４７１−１４８２．
５．Ｔｏｐｏｌ  ＥＪ、「冠動脈ステント−計測、充填、及び掘削（Ｃｏｒｏｎａｒｙ  ａｒｔｅｒｙ  ｓｔｅｎｔｓ−ｇａｕｇｉｎｇ．ｇｏｒｇｉｎｇ，ａｎｄ  ｇｏｕｇｉｎｇ．）、Ｎ  Ｅｎｇｌ  Ｊ  Ｍｅｄ．１９９８；３３９：１７０２−１７０４．
６．Ｓ  Ｇｏｌｄｂｅｒｇら、「ベネステントＩ及びストレス試験１、２における様々な冠血管での、ステントの臨床及び血管造影結果とＰＴＣＡのメタ分析（Ａ  Ｍｅｔａ−Ａｎａｌｙｓｉｓ  ｏｎ  ｔｈｅ  Ｃｌｉｎｉｃａｌ  ａｎｄ  Ａｎｇｉｏｇｒａｐｈｉｃ  Ｏｕｔｃｏｍｅｓ  ｏｆ  Ｓｔｅｎｔｓ  ｖｓ．ＰＴＣＡ  ｉｎ  ｔｈｅ  Ｄｉｆｆｅｒｅｎｔ  Ｃｏｒｏｎａｒｙ  Ｖｅｓｓｅｌｓ  ｉｎ  ｔｈｅ  Ｂｅｎｅｓｔｅｎｔ−Ｉ  ａｎｄ  ＳＴＲＥＳＳ−１  ａｎｄ  ２  Ｔｒｉａｌｓ）」，Ｊｏｕｒｎａｌ  ｏｆ  ｔｈｅ  Ａｍｅｒｉｃａｎ  Ｃｏｌｌｅｇｅ  ｏｆ  Ｃａｒｄｉｏｌｏｇｙ  ２７，Ｎ０．２（１９９６）：ｓｕｐｐ．Ａ  ８０Ａ．  ７．Ｈ  Ｓｕｒｙａｐｒａｎａｔａら、「選択した急性心筋梗塞患者における、冠動脈ステント術とバルーン血管形成術の無作為抽出比較（Ｒａｎｄｏｍｉｚｅｄ  Ｃｏｍｐａｒｉｓｏｎ  ｏｆ  Ｃｏｒｏｎａｒｙ  Ｓｔｅｎｔｉｎｇ  ｗｉｔｈ  Ｂａｌｌｏｏｎ  Ａｎｇｉｏｐｌａｓｔｙ  ｉｎ  Ｓｅｌｅｃｔｅｄ  Ｐａｔｉｅｎｔｓ  ｗｉｔｈ  Ａｃｕｔｅ  Ｍｙｏｃａｒｄｉａｌ  Ｉｎｆａｒｃｔｉｏｎ）」，Ｃｉｒｃｕｌａｔｉｏｎ  ９７（１９９８）：２５０２−２５０５．
８．Ｇｅｌｍｏｎ  Ｋ．、「タキソイド：パクリタキセルとドセタキセル（Ｔｈｅ  ｔａｘｏｉｄｓ：  ｐａｃｌｉｔａｘｅｌ  ａｎｄ  ｄｏｃｅｔａｘｅｌ）」、Ｌａｎｃｅｔ．１９９４；３４４：１２６７−１２７２．
９．Ｋｏｒｎｏｗｓｋｉ  Ｒ，Ｈｏｎｇ  ＭＫ，Ｒａｇｈｅｂ  ＡＯ，Ｌｅｏｎ  ＭＢ．「徐放性タキソールで被覆したＧＲｌｌステントは、冠血管ステント内再狭窄モデルにおいて新生内膜の形成を低減する（Ｓｌｏｗ  ｒｅｌｅａｓｅ  ｔａｘｏｌ  ｃｏａｔｅｄ  ＧＲｌｌ  ｓｔｅｎｔｓ  ｒｅｄｕｃｅ  ｎｅｏｉｎｔｉｍａ  ｆｏｒｍａｔｉｏｎ  ｉｎ  ａ  ｃｏｒｏｎａｒｙ  ｉｎ−ｓｔｅｎｔ  ｒｅｓｔｅｎｏｓｉｓ  ｍｏｄｅｌ．）」、Ｃｉｒｃｕｌａｔｉｏｎ  １９９７；９６（ｓｕｐｐｌｅｍｅｎｔ  ｌ）：Ｉ−３４１．
１０．Ｈｅｌｄｍａｎ  ＡＨ，Ｃｈｅｎｇ  Ｌ，Ｈｅｌｌｅｒ  Ｐ，Ｊｅｎｋｉｎｓ  Ｇｍ，Ｗａｒｅ  Ｍ，Ｎａｔｅｒ  Ｃ，Ｒｅｚａｉ  Ｂ，Ｈｒｕｂａｎ  ＲＨ，Ｓｏｌｌｏｔｔ  ＳＪ，ｋｉｎｓｅｌｌａ  Ｊ，Ｌａｋａｔｔａ  ＥＧ，Ｂｒｉｎｋｅｒ  ＪＡ，Ｆｒｏｅｈｌｉｃｈ  ｊ．「再狭窄のブタ冠動脈モデルにおいて、ステントに直接塗布したパクリタキセルは、血栓の合併症を伴わずに新生内膜増殖を阻害する（Ｐａｃｌｉｔａｘｅｌ  ａｐｐｌｉｅｄ  ｄｉｒｅｃｔｌｙ  ｔｏ  ｓｔｅｎｔｓ  ｉｎｈｉｂｉｔｓ  ｎｅｏｉｎｔｉｍａｌ  ｇｒｏｗｔｈ  ｗｉｔｈｏｕｔ  ｔｈｒｏｍｂｏｔｉｃ  ｃｏｍｐｌｉｃａｔｉｏｎｓ  ｉｎ  ａ  ｐｏｒｃｉｎｅ  ｃｏｒｏｎａｒｙ  ａｒｔｅｒｙ  ｍｏｄｅｌ  ｏｆ  ｒｅｓｔｅｎｏｓｉｓ．）」、Ｃｉｒｃｕｌａｔｉｏｎ  １９９７；９６：（ｓｕｐｐｌｅｍｅｎｔ）：Ｉ−２８８．
【発明の開示】
【発明が解決しようとする課題】
【００１６】
従って、本発明の目的はカテーテル、ステントなどのデバイスを必要とする対象の治療を容易にするために、それらのデバイスと一緒に使用することが有用な製剤を、明らかにすることである。
【００１７】
本発明の他の目的は、再狭窄のレベルを顕著に低減させるために、バルーン血管形成術やステント術などの方法に付随して、適当な薬物を投与するのに使用可能な製剤を明らかにすることである。
【００１８】
さらに本発明の他の目的は、適当な薬物を、それを必要とする対象に、ステント術による血管形成術などの処置の前、途中、又は後に投与して、そのような対象で再狭窄のレベルを低減させるのに有用な製剤を明らかにすることである。
【００１９】
さらに本発明の他の目的は、適当な薬物を、それを必要とする対象に、血管形成術やステント術などの手順の後に、望ましい間隔で投与して、そのような対象で再狭窄のレベルを低減させるのに有用な製剤を明らかにすることである。
【００２０】
さらに、本発明の目的は、１種又は複数の薬物を、それを必要とする対象に、血管形成術やステント術などの手順の前、途中、又は後に投与して、そのような対象で再狭窄のレベルを低減させるのに有用な製剤を明らかにすることである。
【００２１】
さらに、本発明の目的は、１種又は複数の適当な薬物を、それを必要とする対象に、薬物積載デバイス（ステントなど）の移植の前、途中、又は後に投与して、このような対象で、再狭窄のレベルを、薬物積載デバイスだけで達成されるレベルよりさらに低減させるのに有用な製剤を明らかにすることである。
【００２２】
さらに、本発明の別の目的は、血管狭窄の危険がある対象において狭窄レベルを低減させるために、１種又は複数の薬物を、それを必要とする対象に投与するのに有用な製剤を明らかにすることである。
【００２３】
本発明の上記及びその他の目的は、明細書、及び添付の特許請求の範囲を念入りに読むことによって明らかになるであろう。
【課題を解決するための手段】
【００２４】
（発明の概要）
本発明によれば、それを必要とする対象において過形成を治療する方法が提供される。本発明の別の態様では、血管介入的処置に関連する新生内膜過形成を低減する方法が提供される。さらに、この上記方法において有用な製剤が提供される。本明細書で使用することが企図される製剤は、蛋白質と少なくとも１種の製薬上活性な薬剤を含む。
【００２５】
本発明の製剤及び方法は、平均粒径がナノ又はミクロンのサイズ範囲にある、狭い粒度分布の薬物送達システムを開発できる能力を提示する（ちなみに、赤血球は直径８ミクロンである）。その粒径及び組成のために、この送達システムでは、静脈内、動脈内、経鼻、経肺、皮下、筋肉内、経口投与、及びいくつかの他の投与経路を含めて、様々な送達経路による薬物投与が可能になる。
【００２６】
本発明の製剤は、同じ薬物の市販の製剤に優るいくつかの利益を提供する。こうした利点の中には、賦形剤及び安定剤として、生体適合性があり、無毒で、忍容性が良好な生理的蛋白質成分（例えば、ヒト血清アルブミン）を使用することによって、本発明の製剤を調製することを含む。本発明の製剤は、例えば、血管形成術又はステント・カテーテルにより容易に投与され、製剤の賦形剤として、有毒な安定剤、界面活性剤、又は溶媒を含まないため、可塑剤の溶出の危険性もない。実際、本発明の組成物は、動脈内経路及び静脈内経路によって非経口で容易に投与できることが実証されている。
【００２７】
本発明の製剤は、生理食塩水、又はブドウ糖で容易に元に戻る滅菌ろ過凍結乾燥製剤として容易に調製することができる。さらに、本発明の製剤は、同じ活性成分の従来技術の製剤に比べ、活性成分の半減期が長く低毒性の特性を示す。注目すべきことは、通常、過敏性反応（通常、有毒な賦形剤による）は患者に見られず、過敏性反応を避けるために患者にステロイドを前投薬する必要もない。本発明の製剤は、より高い投薬濃度で投与することができ、これにより活性成分の少量投与が可能になる。本発明の製剤の用量は、一括、静脈内／動脈内注射、又は短時間注入（３０分以下）により投与することができる。さらに、本発明の製剤は、溶媒、及び強力な界面活性剤を含まないので、可塑剤が溶出せず、本発明の製剤の送達に標準の注入管／バッグ（例えば、ポリ塩化ビニル）を利用することができる。
【００２８】
本発明によれば、驚くべきことに、生体適合性蛋白質と対象薬物との組合せは、同じ薬物の市販の製剤に比べ、このような薬物の毒性を大きく低減することが判明している。
【００２９】
本発明の別の態様によれば、驚くべきことに、本発明の製剤は、全身に投与した場合、バルーン血管形成術及びステント術後の再狭窄レベルを顕著に低下させることができることが判明している。
【００３０】
さらに本発明の別の態様によれば、驚くべきことに、本発明の組成物は、前記組成物の全身投与後、内膜肥厚レベル、又は新生内膜の形成を顕著に低減することができることが判明している。これは、薬物を局所送達するために、ステントなどのデバイスを当該薬物で被覆し、狭窄した血管内にこのデバイスを挿入し、又は植込む必要があるという従来の見識に反している。
【００３１】
さらに、本発明の別の態様によれば、驚くべきことに、本発明の製剤は、同じ薬物の市販の製剤よりもはるかに多い用量で投与でき、かつそれよりも十分に低い毒性を示すことが判明している。
【００３２】
さらに、本発明の別の態様によれば、驚くべきことに、本発明の製剤は、動脈内に投与でき毒性は無いことが判明している。他方、市販の製剤は、過度の毒性のために、かかるものとして投与することはできない。
【００３３】
本発明の別の態様によれば、驚くべきことに、本発明の製剤は、経鼻吸収もしくは経肺吸収のための吸入により、又は経口経路により送達でき、優れた生体利用能を有することが判明している。他方、市販の同様の薬物の調剤は、このような投与経路では送達できない。
【発明を実施するための最良の形態】
【００３４】
本発明によれば、（例えば、過形成が血管新生内膜で生じるとき）過形成を治療するために有用な組成物が提供され、この組成物は、少なくとも１種の薬物と蛋白質とを含む。
【００３５】
本発明の一の態様において、前記の少なくとも１種の薬物は、ナノ粒子の形態をとり、前記蛋白質中に分散している。本明細書で使用することが企図される薬物の例には、タキサン（ｔａｘａｎｅ）（例えば、パクリタキセル）又はその類似物もしくは同等物、エポシロン（ｅｐｏｔｈｉｌｏｎｅ）又はその類似物もしくは同等物、ラパマイシン（ｒａｐａｍｙｃｉｎ）又はその類似物もしくは同等物などが含まれる。
【００３６】
当該薬物たる本発明の製剤例えば、パクリタキセル、ラパマイシン、ステロイドなどは、生体適合性蛋白質、例えば、アルブミン、カゼイン、ゼラチンなどを含む。
【００３７】
本発明の製剤は、最小の有害な副作用で、例えば、動脈内経由、静脈内経由、吸入、経口など、すなわち適当などんな送達手段によっても全身に投与することができる。従って、例えば、再狭窄の治療において、処置の最中に、局所的なステント部位に、ステント・カテーテルにより薬物を局所的に投与することができる。（Ｃａｐｘｏｌ（商標）のＡＢＩ−００７としても知られる）薬物パクリタキセルの本発明の製剤は、例えば、最小の全身的な毒性で、比較的高い局所濃度で、ステント部位にパクリタキセルを投与できる機会を提供する。ＡＢＩ−００７を、再狭窄を予防するためのサポート療法として静脈内投与することもできる。さらに、本発明の製剤を用いる療法を、経口投与、又は経肺送達もしくは吸入送達など、侵襲がより少ない別の投与経路によっても提供することができる。
【００３８】
従って、例えば、こうした本発明の製剤の１つ、パクリタキセルのナノ粒子形態であるＡＢＩ−００７は、動脈内適用及び静脈内適用に関してヒト臨床研究で広範に試験され、市販のパクリタキセルの製剤よりも、極めて低い毒性で、実質的に高い最大耐用量（ＭＴＤ）という効能が実証されている。現在までに、ＡＢＩ−００７は、１２０人を超える患者に、経皮的で超選択的な動脈カテーテル法によって動脈内に投与され、１００人を超える患者に静脈内投与されている。
【００３９】
一般に、細胞の増殖及び遊走を阻害する薬物、例えば、抗悪性腫瘍薬（タキサン、エポシロン（ｅｐｔｈｉｌｏｎｅｓ）など）、抗増殖薬、免疫抑制薬（例えば、シクロスポリン、タクロリムス、ラパマイシン）、ペプチド薬及び蛋白質薬、血管新生阻害薬などが、本発明の組成物及び投与方法の適当な候補である。適当な薬物の詳細な一覧は、親出願である米国特許出願第０９／４４６，７８３号、及び国際出願ＵＳ９８／１３２７２号に含まれており、その各々の全体を参照により本明細書に組み込む。
【００４０】
本発明の別の態様によれば、血管介入的処置に関連する新生内膜過形成を低減させるのに使用可能な組成物が提供され、当該組成物は、少なくとも１種の薬物と蛋白質を含む。上記組成物は、本発明のこの態様での使用にも適している。先に記したように、このような組成物は、様々な方式、例えば、全身投与（例えば、動脈内経由、静脈内経由、吸入、経口など）によって送達することができる。
【００４１】
本明細書で使用することが企図された介入的処置には、血管形成術、ステント術、粥腫切除術などが含まれる。
【００４２】
本発明の別の態様によれば、毒性が低減された製剤が提供され、この製剤は、細胞の増殖及び遊走を阻害する薬物と生体適合性蛋白質とを含む。
【００４３】
さらに、本発明の別の態様によれば、それを必要とする対象において過形成を治療する方法が提供され、前記方法は、有効量の、薬物と蛋白質とを含む組成物を対象に投与することを含む。
【００４４】
本発明の実施に利用される現存の好ましい薬物は、ナノ粒子の形をとり、適当な生体適合性蛋白質中に分散される。
【００４５】
本明細書での使用では、「有効量」とは、所望の治療効果を実現するために必要な薬物の量を表す。一般に、有効量は、ヒト対象では約０．０１ｍｇ／ｋｇ〜約１５ｍｇ／ｋｇの範囲である。当業者には容易に理解されるように、活性成分は、一括に又は長期間にわたって投与することができ、例えば、前記組成物の投与は、１日から６ヶ月間の投与サイクルで繰り返すことができる。
【００４６】
本発明の方法は、全身投与（例えば、動脈内に、静脈内に、吸入で、経口でなど）を利用して行うことができ、過形成の発生の前、間、又は後に開始することができる。
【００４７】
さらに、本発明の別の態様によれば、血管介入的処置に関連する新生内膜過形成を、その処置を必要とする対象において低減させる方法が提供される。この方法は、前記対象に、少なくとも１種の薬物と蛋白質とを含む有効量の組成物を投与することを含む。本明細書での治療のために企図される血管介入的処置の例としては、血管形成術、ステント術、粥腫切除などがある。当業者には容易に理解されるように、本発明の組成物は、血管介入的処置の前、間、又は後に投与することができる。
【００４８】
本発明の別の実施形態では、本明細書で使用することが企図される組成物は、血管介入的処置の最中に投与することができる。これを実現するための特に好都合な方式は、前記の少なくとも１種の薬物で被覆したステントを配置することである。
【００４９】
当業者には容易に認識されるように、本発明の組成物の有効量は、所望の治療効果が得られる量である。通常、有効量は、ヒト対象では、約０．０１ｍｇ／ｋｇ〜約１５ｍｇ／ｋｇの範囲にある。投与は、広い範囲の時間枠にわたり、通常しばしば反復され、投与と投与の間は、短い１日から約６ヶ月まで、又はそれ以上の間隔を空けて行うことができる。
【００５０】
さらに、本発明の別の態様によれば、細胞の増殖及び遊走を阻害する薬物の毒性を低減するための方法が提供され、前記方法は、前記薬物と生体適合性蛋白質を組み合わせることを含む。
【００５１】
本発明の方法では、パクリタキセル、タキソテール（商標）、タキサン及び関連化合物、エポシロン及び関連化合物、ラパマイシン及び関連化合物などの薬物を、生体適合性蛋白質、例えば、無毒で、ヒトに問題なく大用量で投与できるヒト血清アルブミンを使用することによって、非経口経路で容易に投与できるナノ粒子製剤に変換することが可能になる。様々な化合物の数種のナノ粒子製剤が調製され、ｉｎ  ｖｉｖｏで試験され、優れた安全特性及び効能が示されている。本発明の製剤は、以下を含むがそれだけには限らない治療薬及び薬剤を送達するために使用することができる：
ビンカアルカロイド類（例えば、ビンブラスチン、ビンクリスチン、及びビノレルビン）などの天然産物、パクリタキセル、エピジポドフィロトキシン類（ｅｐｉｄｉｐｏｄｏｐｈｙｌｌｏｔｏｘｉｎｓ）（例えば、エトポシド、テニポシド（ｔｅｎｉｐｏｓｉｄｅ））、抗生物質（例えば、ダクチノマイシン（アクチノマイシンＤ）ダウノルビシン、ドキソルビシン、及びイダルビシン）、アンスラサイクリン、ミトキサントロン、ブレオマイシン、プリカマイシン（ｐｌｉｃａｍｙｃｉｎ）（例えば、ミスラマイシン（ｍｉｔｈｒａｍｙｃｉｎ））、及びマイトマイシン、酵素類（例えば、Ｌ−アスパラギナーゼで、これは、全身的にＬ−アスパラギンを代謝し、自前のアスパラギンを合成する能力を持たない細胞を取り除く）を含む抗増殖剤／抗有糸分裂剤；窒素マスタード類（例えば、メクロレタミン、シクロホスファミド、及び類似物、メルファラン、クロランブシル）、エチレンイミン、及びメチルメラミン類（例えば、ヘキサメチルメラミン、チオテパ）、スルホン酸アルキル類−ブスルファン、ニトロソウレア類（例えば、カルムスチン（ＢＣＮＵ）及び類似物、ストレプトゾシン）、トラゼン（ｔｒａｚｅｎｅｓ）−ダカルバジン（ｄａｃａｒｂａｚｉｎｉｎｅ）（ＤＴＩＣ）などの抗増殖性／抗有糸分裂性アルキル化剤；葉酸類似物（例えば、メトトレキサート）、ピリミジン類似物（例えば、フルオロウラシル、フロックスウリジン（ｆｌｏｘｕｒｉｄｉｎｅ）、シタラビン）、プリン類似物及び関連阻害剤（例えば、メルカプトプリン、チオグアニン、ペントスタチン、２−クロロデオキシアデノシン（クラドリビン））などの抗増殖性／抗有糸分裂性代謝拮抗物質；白金配位子錯体（例えばシスプラチン、カルボプラチン）、プロカルバジン、ヒドロキシ尿素、ミトタン、アミノグルテチミド；ホルモン類（例えば、エストロゲン）；抗凝血剤（例えば、ヘパリン、合成ヘパリン塩類、及び他のトロンビン阻害剤）；線維素溶解剤（組織プラスミノゲン活性化因子、ストレプトキナーゼ、ウロキナーゼなど）；抗血小板剤（例えば、アスピリン、ジピリダモール、チクロピジン、クロピドグレル、アブシキマブ）；抗細胞遊走剤；抗分泌剤（例えば、ブレベルディン（ｂｒｅｖｅｌｄｉｎ））；副腎皮質ステロイド類（例えばコルチゾール、コルチゾン、フルドロコルチゾン、プレドニゾン、プレドニゾロン、６α−メチルプレドニゾロン、トリアムシノロン、ベタメタゾン、デキサメタゾン）、非ステロイド剤（例えば、アスピリンなどのサリチル酸誘導体などの抗炎症剤；アセトミノフェンなどのパラ−アミノフェノール誘導体；インドール酢酸、及びインデン酢酸（例えば、インドメタシン、スリンダク、エトドラク（ｅｔｏｄａｌａｃ））、ヘテロアリール酢酸（例えば、トルメチン、ジクロフェナク、ケトロラク）、アリールプロピオン酸（例えば、イブプロフェン、及び誘導体）、アントラニル酸（例えば、メフェナム酸、メクロフェナム酸）、エノール酸（例えば、ピロキシカム、テノキシカム、フェニルブタゾン、オキシフェンタトラゾン（ｏｘｙｐｈｅｎｔｈａｔｒａｚｏｎｅ））、ナブメトン、金化合物（例えば、オーラノフィン、オーロチオグルコース、金チオリンゴ酸ナトリウム���；免疫抑制剤（例えば、シクロスポリン、タクロリムス（ＦＫ−５０６）、シロリムス（ラパマイシン）、アザチオプリン、ミコフェノール酸モフェチル）；血管内皮細胞増殖因子（ＶＥＧＦ）、線維芽細胞増殖因子（ＦＧＦ）などの抗脈管形成剤；一酸化窒素ドナー；アンチセンス・オリゴヌクレオチド、及びそれらの組合せ。
【００５２】
次に、本発明を以下の非限定的な実施例に関してさらに詳細に説明する。
【実施例１】
【００５３】
ラットでの動脈再狭窄におけるパクリタキセル・ナノ粒子の効果
異常な血管平滑筋増殖（ＶＳＭＰ）は、アテローム性動脈硬化症や高血圧症などの心血管疾患、及びほとんどの血管内手術に関連している。異常なＶＳＭＰは、経皮経管冠動脈形成術（ＰＴＣＡ）によくある合併症である。ＰＴＣＡに続くＶＳＭＰに起因する慢性再狭窄の発生は、３〜６ヶ月以内で４０〜５０％程度の高さであることが報告されている。
【００５４】
ＰＴＣＡに関連する血管再閉塞の高い発生率は、動物モデルのｉｎ  ｖｉｖｏでの再狭窄の発生と、それを防止するための薬剤の探索をもたらしている。以下の研究は、動脈内膜の外傷に続く再狭窄の防止におけるＣａｐｘｏｌ（商標）の使用について述べている。
【００５５】
雄のスプロージ・ドーリー・ラット（Ｃｈａｒｌｅｓ  Ｒｉｖｅｒ）体重３５０〜４００ｇｍを、ケタミン及びＲｏｍｐｕｎ（商標）で麻酔し、右総頚動脈を長さ３．０ｃｍに渡って露出させる。頚動脈の周囲から付着した組織を取り除き、迷走神経節又は関連の上頚神経節及び交感神経に圧迫損傷を生じさせずに、２個のＤＩＥＴＲＩＣＨ（商標）マイクロ・ブルドッグ・クランプを約２ｃｍの間を空けて留める。血管のこの部分に分枝血管（ｂｒａｎｃｈ）はない。血管壁に穴を開けるために、三方活栓に取り付けた３０ゲージ針を、まず隔離した部分の下端に挿入し、次いで抜き取り、次に注入のため上端に挿入する。２〜３ｍｌのリン酸緩衝食塩水を注入して、隔離したセグメント内部の全ての血液を洗い流し、次いで三方活栓を圧縮空気の調節源に通じる他方の接続部へ向ける。穏やかな空気流（毎分２５ｍｌ）を血管腔に３分間通して内皮の損傷を乾燥させる。次いで、再び生理食塩水をセグメントに充填した後、血管から針を抜く。クランプを取り外す前に、血管壁の針穴を慎重に焼灼して出血を防止する。生理食塩水で湿らせた綿棒を針穴に押し当てて出血を止めることもできる。皮膚を７．５ｍｍの金属クリップで閉じベタジン（商標）で洗浄する。
【００５６】
全ての動物に前記の手術を施し術後１４日目に屠殺する。各側の頚動脈を回収し病理検査した。手術していない側を自己対照として利用する。実験用グループには以下の異なる処置を施した。
グループ１：高用量ＡＢＩ−００７（Ｃａｐｘｏｌ（商標））処置：
パクリタキセル５ｍｇ（ｗ／１００ｍｇヒト・アルブミン）／ｋｇ／週、ＩＶ
グループ２：低用量ＡＢＩ−００７（Ｃａｐｘｏｌ（商標））処置：
パクリタキセル１ｍｇ（ｗ／２０ｍｇヒト・アルブミン）／ｋｇ／週、ＩＶ
グループ３：薬物賦形剤の対照
ヒト・アルブミン１００ｍｇ／ｋｇ／週、ＩＶ
【００５７】
頚動脈の組織診試料をホルマリンに保存し、次いで切片（８μｍ）をパラフィンブロックから切り出し、ヘマトキシリン及びエオシンで染色する。血管層（内膜、中膜、外膜）の横断面の面積を測定する。
【００５８】
対照群の損傷した頚動脈には、著しい内膜平滑筋細胞の蓄積、及びＶＳＭＣの基底膜への侵入が見られた。頚動脈壁の全厚は２倍である。対照に比べ、処置群では内膜の膜厚において統計学的に有意な減少が見られた。
【実施例２】
【００５９】
ステント内再狭窄のウサギ・モデルでのナノ粒子パクリタキセル（ＡＢＩ−００７）の全身送達
この研究は、ウサギの腸骨動脈で、ステント内再狭窄について、新規な全身性パクリタキセル製剤（ＡＢＩ−００７、Ａｍｅｒｉｃａｎ  ＢｉｏＳｃｉｅｎｃｅ、カリフォルニア州）を検査するように設計された。パクリタキセル（Ｐａｃｉｌｔａｘｅｌ）は、微小管の脱重合を防ぐことによりその効果を発揮する。この薬物の抗増殖効果は詳細に証明されているが、動脈損傷モデルでの治癒を、特に局所送達による場合には遅らせることが知られている。パクリタキセルの全身用製剤は、潜在的にその治癒に関する影響を最小限度に抑えながら、安定した薬物濃度の制御、及び反復投薬を可能にすると考えられる。現在までのところ、ウサギにおけるパクリタキセルの全身送達についての情報は限られ、公にされた毒性研究は、ほとんどラットに限られていた。この研究は、３つの相、１）平滑筋細胞の増殖及び遊走のｉｎ  ｖｉｔｒｏ検定（実施例３〜５を参照のこと）、２）薬物動態学（実施例６を参照のこと）、３）ステント内再狭窄（実施例７を参照のこと）において行った。
【実施例３】
【００６０】
用量を決定するためのｉｎ  ｖｉｔｒｏ組織培養（ＳＭＣの増殖及び遊走の阻害）
３匹の雄成体ドナー・ウサギの大動脈中膜層から分離した平滑筋細胞（ＳＭＣ）を、１０％ウシ胎仔血清（ＦＢＳ）、及び１００ｕ／ｍｌのペニシリンとストレプトマイシンを補充したＭ１９９で培養した。３７°、ＣＯ2５％／空気９５％中で細胞を増殖させてコンフルエントとし、増殖及び遊走の検定に使用した。
【実施例４】
【００６１】
細胞増殖検定
ＳＭＣ（ウェル当たり２×１０4個の細胞）を２４穴培養プレートに播種し、ＣＯ2５％／空気９５％の加湿雰囲気下、１０％ＦＢＳで処理したＭ−１９９で培養した。翌日、培地を交換し、さらにＳＭＣをＭ１９９及び１％ＦＢＳ中で４８時間培養して細胞を同調させた。次いで、ＳＭＣを、１０％ＦＢＳで処理したＭ１９９中で、様々な濃度のパクリタキセルを用い及び用いずに刺激した。処置の３日後、ＳＭＣをトリプシン処理し、細胞数を血球計数器でカウントした。２匹の異なるドナーを使用する一組の２回の異なる繰り返し試験により分析を行った。ＳＭＣの増殖量を対照ウェルに対する割合として示した。
【実施例５】
【００６２】
細胞遊走検定
ＳＭＣの遊走を４８穴走化性チャンバ（Ｎｅｕｒｏ  Ｐｒｏｂｅ、メリーランド州Ｃａｂｉｎ  Ｊｏｈｎ）で検定した。手短に言えば、培養したＳＭＣをトリプシン処理し、１０％ＦＢＳを加えたＭ−１９９に、濃度５．０×１０5細胞／ｍｌで懸濁させた。標準的な検定において、容量５０μｌのＳＭＣ懸濁液を上部チャンバ内に置き、２５μｌの遊走因子を含むＭ−１９９を下部チャンバ内に置いた。ナノ粒子パクリタキセル（１．０ｎｍｏｌ／Ｌ〜１０μｍｏｌ／Ｌ  Ａｍｅｒｉｃａｎ  Ｂｉｏｓｃｉｅｎｃｅ、カルフォルニア州サンタモニカ）を上下部の両チャンバに同じ濃度で加えた。下部チャンバに１０ｎｇ／ｍｌの濃度で加えた血小板由来増殖因子（ＰＤＧＦ）は化学誘引物質として働いた。ゼラチン被覆をした、ポリビニルピロリドンを含まないポリカーボネート膜（８ｕｍ孔；Ｎｕｃｌｅｐｏｒｅ  Ｃｏｒｐ．、カルフォルニア州Ｐｌｅａｓａｎｔｏｎ）を通り抜けた細胞総数を定量するという検定を実施した。チャンバを３７℃の加湿したＣＯ2５％／空気９５％雰囲気下で４時間培養した。培養後、上部チャンバ中の遊走しなかった細胞を丁寧に拭き取った。フィルタをメタノールで固定し、Ｇｉｌｌ−３ヘマトキシリン（Ｓｈａｎｄｏｎ、ペンシルバニア州ピッツバーグ）で染色した。遊走細胞を画像解析ソフトウェア（ＩＰ  Ｌａｂ  ｓｐｅｃｔｒｕｍ、Ｓｉｇｎａｌ  Ａｎａｌｙｔｉｃｓ  Ｃｏｒｐ．，バージニア州Ｖｉｅｎｎａ）を使用してカウントした。ランダムな遊走は、培地だけで応答した細胞遊走を定量することによって評価した。２匹の異なるドナーを使用して一組の２回の異なる繰り返し試験により分析を行った。
【実施例６】
【００６３】
ｉｎ  ｖｉｖｏ薬物動態：全身送達後のステント部位での血清薬物濃度及び局所薬物濃度
このフェーズにおいては、ステンレス鋼ステント（ＡＣＳ  ＭＵＬＴＩ−ＬＩＮＫ、Ｇｕｉｄａｎｔ  Ｃｏｒｐ．）を以下に記述するように両腸骨動脈中に配置した。一部の動脈は、ステント術をせずにバルーンで損傷させた。放射性標識した［3Ｈ］パクリタキセル・ナノ粒子（５、又は２５ｍｇ／ｋｇ、Ａｍｅｒｉｃａｎ  ＢｉｏＳｃｉｅｎｃｅ、カルフォルニア州）の動脈内注入液をステント術の最中に送達した。これらの用量は、ｉｎ  ｖｉｔｒｏ実験の知見を元に選択した（結果を参照のこと）。第一ステント部位、又はバルーン損傷部位の間近に留置したカテーテルを通して第一ステントを配置した後、容量１０ｍｌの薬物を５分かけて送達した。バルーン損傷だけの場合は、第一の損傷後に［3Ｈ］パクリタキセルを送達した。１５分と３０分、及び１、３、５、８、１２、２４、４８時間後の注入を中止する直前に、一時的な頚静脈カテーテルにより血液試料（１ｍｌ）を採取した。各２種の投薬濃度に対して３匹の動物を、１匹はステント術用に、他の２匹はバルーン損傷用に使用した。実験後、ステント部位又はバルーン部位から組織を採取し、肺と肝臓から対照試料を採取した。放射能をβ−カウンタを使用して定量し、送達部位とその反対側の両方で薬物の局所濃度を測定した。
【実施例７】
【００６４】
全身性パクリタキセルによるステント内再狭窄の抑制
数グループのウサギ（各５匹）をバルーン損傷後及びステント術後にＡＢＩ−００７で処理した。これらには、薬物を与えていない対象グループ、１日目に１ｍｇ／ｋｇを与えたグループ、１日目に２．５ｍｇ／ｋｇを与えたグループ、１日目に３．５ｍｇ／ｋｇを与えたグループ、１日目に５ｍｇ／ｋｇを与えたグループ、１日目に１５ｍｇ／ｋｇを与えたグループ、１日目に２５ｍｇ／ｋｇを与えたグループ、及び１日から６ヶ月の範囲の間隔で先の用量を反復して与えたグループが含ませた。
【００６５】
無菌的技術を使用して全ての処置を実施した。動物には、ケタミン（１００ｍｇ  ＩＭ）及びブプレノルフィン（０．０２ｍｇ／ｋｇ  ＩＭ）を前投与し、次いで１００％酸素を用いてフェイスマスクによりイソフルランで麻酔をかけた。気管内挿管を施し、換気を開始し、３％イソフルランで麻酔を維持した。ウサギを仰臥位に寝かせ、後肢を外転させ、膝を伸ばしたまま股関節部で外旋させた。頚部の正中切開によって露出させた左総頚動脈に５Ｆシースを挿入した。シースを通してヘパリン（１５０単位／ｋｇ）を動脈内に投与した。５Ｆの血管造影カテーテルを遠位大動脈中に留置した。対照の遠位大動脈、及び両腸骨動脈の血管造影図を得るために対比染料（２ｍｌ）を注入した。腸骨動脈のバルーン損傷は、動脈中央部で３．０×９．０ｍｍの血管形成用バルーンを膨らませた後、バルーンの長さ分だけカテーテルを「引き抜く」ことによって実施した。バルーン損傷を二度繰り返し、３．０×１２ｍｍのステントを６気圧（ＡＴＭ）３０秒間で腸骨動脈中に配置した。ウサギを無作為に選択してパクリタキセル又はプラセボを与えた。ステント留置の直後に、ステントの間近に位置するバルーン・カテーテルによりパクリタキセル、又は標準生理食塩水を５分かけて注入した。次いで、反対側の腸骨動脈にも上記と同じ方式でバルーン損傷及びステント留置を行った。ステント配置後に血管造影を行った。近位右頚動脈を結紮し、頚部切開を２層で閉じた。全ての動物に経口でアスピリン４０ｍｇ／日を与え、安楽死まで通常の食餌を続けた。
【００６６】
細胞増殖を評価するために、動物にブロモデオキシウリジン（ＢｒｄＵ、１００ｍｇ／ｋｇ）及びデオキシシチジン（７５ｍｇ／ｋｇ）を皮下注射し、安楽死の１８時間前にＢｒｄＵ（３０ｍｇ／ｋｇ）及びデオキシシチジン（２５ｍｇ／ｋｇ）を筋肉注射した。安楽死の１２時間前にも、これらにＢｒｄＵ（３０ｍｇ／ｋｇ）及びデオキシシチジン（２５ｍｇ／ｋｇ）を筋肉注射した。
【実施例８】
【００６７】
安楽死、固定化、及び光学顕微鏡
ステント術後２８日目に、上記のように動物に麻酔をかけた（ケタミンＩＭ、フェイスマスクによるイソフルラン、及び１００％酸素による換気；吸入させたイソフルランで麻酔を維持した）。５Ｆシースを右頚動脈中に留置し、安楽死前に腸骨動脈の血管造影を行った。５Ｆシースを頚静脈中に挿入した。灌流固定の直前に、ウサギに１０００単位のヘパリンを静脈内投与した。深麻酔下で与えた１ｍｌのＢｅｕｔｈａｎａｓｉａ（商標）の注射により安楽死を完了した。頚静脈からの灌流液に血液が混じらなくなるまで、その分岐動脈（ａｒｔｅｒｉａｌ  ｔｒｅｅ）を１００ｍｍＨｇで乳酸リンゲル液を用いて灌流した。次いで、分岐動脈を１００ｍｍＨｇで１０％ホルマリンで１５分間灌流した。遠位大動脈から近位大腿動脈を切り取り、外膜周辺組織（ｐｅｒｉａｄｖｅｎｔｉｔｉａｌ  ｔｉｓｓｕｅ）を取り出した。動脈のＸ線写真を撮った。ステントをプラスチックに包埋して、各ステントの近位、中位、遠位部分から切片を採取した。全ての切片をヘマトキシリン−エオシン、及びＭｏｖａｔ５価クローム染色で染色した。ＢｒｄＵ陽性細胞を確立された免疫組織化学的技術により同定した。
【実施例９】
【００６８】
データ分析
観察者に処置群を伏せて全ての動脈部分を検査した。コンピュータ化された面積測定を実施して、ＩＥＬ（内弾性層）、ＥＥＬ（外弾性層）、及び管腔の面積を測定した。内膜は、ステント・ストラットで、及びストラット間で測定した。中膜及び外膜の膜厚は、ステント・ストラット間で測定した。管腔の狭窄の割合を計算で出した（［ｌ−（管腔／ＩＥＬ）］×１００）。細胞増殖を評価するために、各ステントのセグメント中央からの内膜及び中膜内のＢｒｄＵ陽性細胞を、６つの高倍率視野で、全細胞に対する百分比（ＢｒｄＵ標識指数）としてカウントした。データを平均±ＳＥＭとして表す。組織データの統計分析は分散分析（ＡＮＯＶＡ）を使用して行った。Ａｐ＜０．０５を統計学的に有意と見なす。
【実施例１０】
【００６９】
ＳＭＣの増殖の結果
パクリタキセルは、用量依存的にＳＭＣの増殖を阻害した。より高い用量で効果は多少横ばいになったが、統計学的に有意の５５％の阻害が０．０１ｕＭ濃度（ｐ＜０．００１）で見られた（表１）。この実験を２匹の別のドナーで２度繰り返した。
【００７０】
【表１】
2005504008.tif 000003
【００７１】
ＳＭＣの増殖に対するパクリタキセルの効果を、この薬物をＳＭＣ培地に２４時間だけ曝露した後にも試験した（表２）。２つのグループ間では、効果において客観的な差異はなかった。
【００７２】
【表２】
2005504008.tif 000004
【実施例１１】
【００７３】
ＳＭＣの遊走の結果
走化性チャンバ内で試験すると、パクリタキセルは、ＳＭＣの遊走に大きな阻害作用を示した。０．０１ｕＭを超える濃度で、パクリタキセルは、ＳＭＣの遊走を有意に抑制した（表３）。この実験を２匹の別のドナーで２度繰り返した。
【００７４】
【表３】
2005504008.tif 000005
【実施例１２】
【００７５】
ラットの平滑筋細胞の増殖及び遊走の阻害
ＡＢＩ−００７を利用して、ラットの平滑筋細胞における増殖及び遊走の阻害も実証した。図１、２のデータは、平滑筋細胞の増殖及び遊走に対する異なる濃度でのパクリタキセルの効果を示す。比較的低い濃度である０．０１ｕＭのパクリタキセルでも、ＡＢＩ−００７はラットの増殖応答（図１）、及び遊走性応答（図２）を著しく阻害できることがわかる。
【実施例１３】
【００７６】
薬物動態学的試験の結果
腸骨動脈の両側のステント術の直後に６匹のウサギで、放射性標識（トリチウム化）したＡＢＩ−００７を、３匹には２５ｍｇ／ｋｇ（ウサギＡｌ、Ａ２、Ａ３）、及び３匹には５ｍｇ／ｋｇ（Ｂ１、Ｂ２、Ｂ３）を動脈内投与して薬物動態学的試験を行った。血中濃度は、初期の急激な低下と、それに続く緩慢な消失相という典型的な二相性の減少を示した。予想通り、２つの用量で得られた血中濃度はかなり異なっていた。放射活性で示されたＡＢＩ−００７の血中濃度は、注入後１２時間目に５ｍｇ／ｋｇ及び２５ｍｇ／ｋｇのグループで、それぞれ約０．８ｕＭ及び３ｕＭであり、２４時間目にはこれらの濃度は、それぞれ約０．５ｕＭ及び２．５ｕＭであり、４８時間目にはこれらの濃度は、それぞれ約０．４ｕＭ及び２ｕＭであった。従って、少なくとも４８時間は、この化合物の血中濃度は、ｉｎ  ｖｉｔｒｏ実験によって測定された増殖及び遊走の阻害に必要な閾値の０．０１ｕＭより有意に高く維持された。これらの動物を２４時間目に（Ａｌ、Ａ３、Ｂ１、Ｂ３）及び４８時間目に（Ａ２、Ｂ２）安楽死させた。
【実施例１４】
【００７７】
パクリタキセルの局所組織濃度の定量
上記の時点で動物を安楽死させた後、放射性標識したパクリタキセルの局所組織濃度を評価した（表４）。これらの実験を、初めに腸骨動脈両側にステント術（Ａｌ、Ｂ１）を施した動物で行い、さらに両腸骨動脈にバルーンでの露出損傷を有する４匹の追加動物（Ａ２、Ａ３、Ｂ２、Ｂ３）で繰り返した。専ら、近位右腸骨動脈に薬物を注入したにもかかわらず、左右の腸骨間でパクリタキセルの濃度に差異は無かった。
【００７８】
【表４】
2005504008.tif 000006
【実施例１５】
【００７９】
ウサギでのｉｎ  ｖｉｖｏ実験
技術的結果：ステント前のバルーン拡張は血管造影法によって確かめた。ウサギでの両側腸骨のステント配置は、すべての場合で首尾よく完了した。これらのステントをコントラスト・イメージングを用いて蛍光透視下で可視化したところ、適切に配置されていた。植込み後２８日目の追跡血管造影で、全ての動脈は広く開存していた。
【実施例１６】
【００８０】
ウサギ試験における組織学的知見
ステント術前のバルーン損傷にもかかわらず、全てのグループにおいて内弾性層の破裂は稀であった（平均損傷スコア＜１）。対照ウサギの新生内膜は、十分に治癒し、プロテオグリカンに富むマトリックス内は、主として平滑筋細胞で構成されていた。ステント・ストラットの周囲でのフィブリン沈着は稀であった。５ｍｇ／ｋｇのパクリタキセルで処理したウサギでは、ステント・ストラットの周囲にフィブリン沈着による治癒の遅れが認められ、特に、切片中央で著しかった。内皮化及び炎症性浸潤は最小であった。１５ｍｇ／ｋｇの用量で生き残った２匹のウサギでは、ほとんどの切片でステント・ワイヤの周囲及び中間にフィブリンが認められた。幾つか切片で、新生内膜は、主としてフィブリン及びわずかの平滑筋細胞からなり、急性炎症性細胞が管腔に列を成していた。
【実施例１７】
【００８１】
形態計測分析
形態計測分析の結果の要約を下表５に示す。全ての切片中（近位、中位、遠位）において、パクリタキセル１、２．５、５、又は１５ｍｇ／ｋｇのグループにおけるいくつかのケースで、対照に対し、平均内膜厚、中膜厚、管腔面積、新生内膜面積、及び狭窄の割合の平均値で、有意差があった。同様の知見は、近位、中位、又は遠位の切片を比較したときも顕著であった。
【００８２】
【表５】
2005504008.tif 000007
【実施例１８】
【００８３】
再狭窄のウサギ・モデルでの結果の考察
ｉｎ  ｖｉｔｒｏで平滑筋の増殖及び遊走を低減させるパクリタキセル（ＡＢＩ−００７）の強力な効果は、本発明者の、ステント内再狭窄の損傷モデルでも明らかであった。１〜１５ｍｇ／ｋｇの範囲の１回用量のパクリタキセルを与えた動物では、対照動脈に対して管腔面積の増大、及び平均新生内膜厚の減少が有意であった。パクリタキセルによる内膜厚の減少は、１３％〜２８％の動脈狭窄の減少と解釈した。５ｍｇ／ｋｇを与えた動物及び対照での細胞増殖は＜２％であり、グループ間でも同様であった。１５ｍｇ／ｋｇのウサギから得た切片は、病変の無細胞性の性質及び件数の少なさのために測定しなかった。照射などの、治癒を遅らせる他の処置で、細胞増殖が持続されることは確認されているが、ステント術後２８日目には、わずかな増殖細胞が予想される。
【００８４】
ステントの近位、中位、遠位の部位から得た形態計測のパラメータを平均化したとき、パクリタキセル処理した動物と対照動物との間に著しい差異があり、同様の結果は、近位、及び遠位の切片だけを比較したときも顕著であった。
【００８５】
興味深いことに、１５ｍｇ／ｋｇのパクリタキセルで処理した動物の中膜の厚みにおいても有意な減少があった。通常、ステント術後、中膜平滑筋細胞は急激に減少するが、それは時間とともに回復する。これらのデータは、パクリタキセルが、中膜の損傷後、おそらく平滑筋細胞の再集結を防ぐことを示唆している。また、この薬物は、特に部分的に損傷を受けた細胞で細胞毒性があると考えられる。
【００８６】
損傷部位の薬物の濃度は、２８日目でも新生内膜過形成を抑制するのに十分であると思われる。パクリタキセルへの一過的な曝露（全身投与によって実現される曝露など）は、平滑筋細胞の微小管の機能を長期に渡って変化させることができ、平滑筋細胞の遊走及び増殖を妨害する。本発明の製剤の、１週間〜６ヶ月の好ましい期間に及ぶ反復投与は、再狭窄の長期抑制を顕著に改善する。
【実施例１９】
【００８７】
薬物積載ステントと組み合わせた全身投与の使用
徐放性のパクリタキセル溶出ステント（１８０ｕｇ）は、ウサギの腸骨動脈で６ヶ月目まで有望な結果を示しているが、この期間を超えた研究は入手できていない。薬物積載ステントと併せた本発明の製剤の全身投与は、局所的なステント送達に付随して長期的な結果を改善する。ステント術又はバルーン損傷後の再狭窄の抑制をさらに改善するための、所望の薬物（例えば、パクリタキセル及び類似物、ラパマイシン及び類似物、ステロイドなど）の全身送達用の本発明の製剤は、ステントなどの薬物放出デバイスと一緒に利用することが企図されている。
【実施例２０】
【００８８】
用量範囲、投薬計画、及び反復投薬試験
最適用量、投薬計画、別の投与経路（例えば、動脈内、静脈内、吸入、経口など）も又検討した。例えば、０．１〜約３０ｍｇ／ｋｇの間の用量をウサギ及びラットで検討した。反復投薬計画は、例えば、上記の投与モードのどれかによるステント術の最中又はステント術前の初回投薬、及びそれに続く上記の投与モードによる１日から６ヶ月の範囲の間隔での反復投薬が可能であった。１〜６週間の投薬間隔が特に好ましかった。該当するヒトの用量範囲は、約ｌｍｇ／ｍ2〜約３７５ｍｇ／ｍ2であった。これは、ヒトでのｋｇ当たりの基準では、約０．０５ｍｇ／ｋｇ〜１５ｍｇ／ｋｇと解釈される。
【実施例２１】
【００８９】
ｉｎ  ｖｉｖｏでの前臨床薬理学及び毒性試験
ＡＢＩ−００７の前臨床試験は、マウスでの急性毒性試験、ラットでの急性毒性試験、ラットでの骨髄抑制試験、ラットでの薬物動態試験、及びイヌでの急性毒性試験を組み合わせた。ほとんどの場合でタキソールを比較用として用いた。
【００９０】
ラットでの一連の３件の薬物動態試験で、ＡＢＩ−００７として製剤されたパクリタキセル及びタキソールの薬物動態学的特徴は類似していることが明らかとなったが、血中／組織中濃度比及び代謝率は有意に異なっていた。ＡＢＩ−００７は、より急速に血液に分散し、より緩慢に代謝される。タキソールと比べた場合、ＡＢＩ−００７の投与後の放射性標識したパクリタキセルの組織濃度は、いくつかの組織で高かった（前立腺、脾臓、膵臓、それより少ない程度で骨、腎臓、肺、及び筋肉）。ＡＢＩ−００７及びタキソールの投与後のパクリタキセルの排泄は、大部分糞便中であった。
【００９１】
毒性試験をマウス、ラット、及びイヌで行った。マウスでの単回投与急性毒性試験では、ＬＤ50用量は、ＡＢＩ−００７の方がタキソールよりも約５９倍高いことが示された。マウスでの複数回投与毒性試験では、ＬＤ50用量は、ＡＢＩ−００７の方がタキソールよりも約１０倍高かった。
【００９２】
ラットでの１４日間の急性毒性試験で、この動物は、１２０ｍｇ／ｋｇまでの用量のＡＢＩ−００７に耐えたが、３０ｍｇ／ｋｇの用量のタキソールでは著しい罹患率及び死亡率が報告された。重篤な毒性作用である大脳皮質の壊死が、タキソール処理した動物で見られた。より高い用量では、精巣の変性がＡＢＩ−００７で処理した動物で観察された。
【実施例２２】
【００９３】
ヒト臨床データ
ＡＢＩ−００７について、静脈内投与による２件及び動脈内投与による１件の３件で別々の第一相ヒト臨床試験において研究されている。両投与経路で３００ｍｇ／ｍ2の用量まで患者はＡＢＩ−００７に忍容性を有した。両試験の薬物動態学的データから、平滑筋細胞の増殖及び遊走を阻害するのに必要な血中濃度は容易に達成できることが示唆される。０．０１ｕＭ濃度のパクリタキセルは、８．５ｎｇ／ｍｌと解釈される。ＡＢＩ−００７の動脈内及び静脈内への投与を用いた第一相臨床試験では、ＡＢＩ−００７の短時間注入（３０分）から２４時間後、パクリタキセルの循環血中濃度は、依然として１００ｎｇ／ｍｌ付近又は超えていた。４８時間後でも、血中濃度は１０ｎｇ／ｍｌを超えて維持されていた。これは、冠動脈の血管形成術又はステント術に続く、動脈内又は静脈内の経路によるＡＢＩ−００７の投与が、平滑筋細胞の増殖及び遊走を阻害するのに適当な薬物血中濃度を生じさせることができ、その結果損傷血管の再狭窄においてポジティブな結果がもたらされることを示唆する。
【実施例２３】
【００９４】
ＡＢＩ−００７の静脈内送達による臨床経験
ＡＢＩ−００７の第一相ヒト臨床試験は完了している。１９人の患者を、２１日目毎に３０分注入することにより投与したＡＢＩ−００７で治療した。ステロイドを前投薬する必要はなかった。開始用量は、１３５ｍｇ／ｍ2から３７５ｍｇ／ｍ2へ上昇させた。８５の過程において投与され、最大耐量（ＭＴＤ）は３００ｍｇ／ｍ2に設定された。過敏性反応は見られなかった。グレード３〜４の血液毒性も観察されなかった。どの患者にもＧ−ＣＳＦによる支持は行わなかった。用量制限的な毒性は、末梢神経障害及び表層角膜炎であった。
【００９５】
３００ｍｇ／ｍ2の用量での静脈内投与の第二相試験は進行中である。５０人の患者に２１日目毎に３０分の注入により３００ｍｇ／ｍ2を投与した。ステロイドを前投薬する必要はなかった。この用量は、許容される毒性で忍容性が良好であった。１７５ｍｇ／ｍ2の用量による静脈内投与の、別の第二相試験も進行中である。４０人の患者に、２１日目毎に３０分の注入で１７５ｍｇ／ｍ2を投与した。ステロイドを前投薬する必要はなかった。この用量は、許容される毒性であり、忍容性が良好であった。
【実施例２４】
【００９６】
ＡＢＩ−００７の動脈内送達の臨床経験
動脈内注射により与えたＡＢＩ−００７の第一相ヒト臨床試験は完了している。頚動脈、大腿動脈、肝動脈、及び乳動脈を含むがそれだけには限らない、異なる動脈の経皮的な超選択的動脈カテーテル法により、４週間毎に３０分を３サイクル繰り返して投与したＡＢＩ−００７で１００人の患者を治療した。ステロイドの前投薬は使用しなかった。用量を１２５ｍｇ／ｍ2から３００ｍｇ／ｍ2へ上げた。最大耐量（ＭＴＤ）は、２７０ｍｇ／ｍ2に設定された。過敏性反応は見られなかった。どの患者にもＧ−ＣＳＦによる支持は行わなかった。用量制限的な毒性は、好中球減少症であった。これらのデータは、動脈内ＡＢＩ−００７の投与の安全性を実証している。
【実施例２５】
【００９７】
新生内膜形成を減少するための他の薬物
一般に、細胞の増殖及び遊走を阻害する薬物、例えば抗悪性腫瘍薬（タキサン、エプシロン（ｅｐｔｈｉｌｏｎｅｓ）など）、抗増殖薬、免疫抑制薬（シクロスポリン、タクロリムス、ラパマイシン）、ペプチド薬及び蛋白質薬、血管新生阻害剤は、本発明の方法及び製剤による投与の適当な候補である。薬物の詳細な一覧は、国際出願第ＷＯ９９／００１１３号に含まれており、その全体を参照により本明細書に組み込む。
【実施例２６】
【００９８】
薬剤送達デバイスと併せた本発明の組成物
発明の組成物、例えばタキサンなどの薬物を含む組成物は、この医薬又は薬剤を必要とする対象を治療するために、送達デバイスと併せて利用される。本発明の組成物と共に使用することが企図されるデバイスには、それだけには限らないが、本発明の組成物を投与するために、或いは一般にタキサンなどの薬物、又は他の抗増殖剤を投与するために、利用することができるポリマー管を含むどんな型の管類も含まれる。本発明で使用される当該管類には、静脈内ライン、動脈ライン、くも膜下腔内ライン、頭蓋内ライン、適当な手段によって対象のいずれの場所、例えば、冠動脈、又は他の動脈もしくは静脈などの狭窄血管部位に誘導され得るカテーテルまたはチューブを含むが、それだけには限らないどんな型のカテーテルも含まれる。このような管類は、局所的な狭小化、狭窄、再狭窄、アテローム性硬化型プラークを含むプラーク、血栓病変、過形成部位、動脈瘤、又は血管の脆弱化の治療に使用可能なバルーン、又はステントを運搬する能力も持つことができる。
【００９９】
ステントなどのデバイスも、本発明の組成物と組み合わせることが企図されている。ステントは、有機もしくは無機材料、ポリマー材料、又は金属から製造することができる。本発明の組成物は、本発明の薬剤と本明細書で述べたデバイスを組み合わせることを企図している。
【０１００】
バルーン、ステント、局所注入「（例えば、管腔、血管壁、血管内膜、血管内皮層、血管内皮下層、平滑筋層内）」用デバイスなどと伴に、管類を含むデバイスなどのコンビネーション・デバイスも、本発明の薬剤組成物と組み合わせることが企図されている。
【０１０１】
薬剤、又はタキサンなどの一般薬物、もしくは他の抗増殖剤、並びに本発明で企図されるどんな薬物の本発明の組成物も、デバイスを通して流すこと、デバイス内又はデバイスに、含浸させ、包埋し、又は蓄積すること、或いは、対象とする局所部位にデバイスにより放出させ、若しくは送達することができ、又はデバイスによって対象で全身的に利用できる（例えば、静脈内投与）ように送達することによって、上記のデバイスにより送達することができる。
【実施例２７】
【０１０２】
ＡＢＩ−００７（パクリタキセル）の肺送達
この研究の目的は、Ｓｐｒａｇｕｅ  Ｄａｗｌｅｙラットへの気管内注入後、血中及び選択した組織の［3Ｈ］ＡＢＩ−００７の経時変化を測定し、組織を選択することである。動物に投与するために気管内投与製剤の目標容量を、体重１ｋｇ当たり１．５ｍＬの投与容量に基づき算出した。投薬装置は、１ｍＬの気密ルアーロック注射器に取り付けたＰｅｎｎ−Ｃｅｎｔｕｒｙマイクロスプレイヤ（Ｍｏｄｅｌ１Ａ−１Ｂ；Ｐｅｎｎ−Ｃｅｎｔｕｒｙ，Ｉｎｃ．，ペンシルバニア州フィラデルフィア、購入元ＤｅＬｏｎｇ  Ｄｉｓｔｒｉｂｕｔｏｒｓ、ニュージャージー州Ｌｏｎｇ  Ｂｒａｎｃｈ）からなる。投与調製物の適当容量を投薬装置に引き、充填した装置の重量を計り、重量を記録した。麻酔をかけた動物の気管内にカテーテルを設置し、投薬装置のマイクロスプレイヤ分の用量をカテーテルにより気管内に入れて投与した。用量投与後、空の投薬装置の重量を再び計り、投薬前後の投薬装置の重量差として投与用量を算出した。全ての動物に対する平均用量は、体重１ｋｇ当たりパクリタキセル４．７７３８±０．００６０（ＣＶ１．５０５９）ｍｇであった。
【０１０３】
ＪＶＣ（頚静脈カテーテル）ラットから、頚静脈の留置カニューレにより、予め決定していた投薬後の以下の時点：１、５、１０、１５、３０、４５分、及び１、４、８、２４時で、約２５０μＬの血液試料を採取した。２４時間後の血液試料、並びに１０分、４５分、及び２時間後に屠殺した動物から採取した血液試料は、麻酔をかけたラットから屠殺時に心臓穿刺して採取した。全放射能を分析した全ての血液試料を、予め重量を計っておいたサンプルチューブに入れ、そのサンプルチューブの重量を再び計り、各試料の重量を減算して求めた。頚静脈から採取した血液試料、及び屠殺時に各動物から採取した血液の一部約２５０μＬの総トリチウム含有量を検定した（表６を参照のこと）。
【０１０４】
【表６】
2005504008.tif 000008
【０１０５】
全てのラットにおいて、投薬５分（０．０８３３時間）後に血中最高濃度のトリチウムが観察されている。４時間から２４時間の間隔で測定したトリチウムの排出半減期は、１９．７３時間から４３．０２時間の範囲であった。この時間間隔には、３つのデータポイントしか含まれていないことに留意すべきで、これがこのパラメータのバラツキの原因である。血中トリチウムの見かけのクリアランスは約０．０４Ｌ／時であった。
【０１０６】
［3Ｈ］ＡＢＩ−００７の気管内投与に由来するトリチウムの生体利用能を評価するために、［3Ｈ］ＡＢＩ−００７をラットに静脈内投与した後、これに由来する放射能の平均血中濃度の経時変化を分析した。この分析の結果、２４時間ＡＵＣ（ＡＵＣlast）は６．１３５４ｍｇ−ｅｑ×ｈｒ／Ｌであった。これらのデータより、［3Ｈ］ＡＢＩ−００７の気管内投与に由来する放射能は、生体利用能が高かった。これらの分析は、総放射能に基づいて行っている。
【０１０７】
［3Ｈ］ＡＢＩ−００７に由来するトリチウムは、気管内注入後、急速に吸収される。［3Ｈ］ＡＢＩ−００７の気管内投与後の血中トリチウムの平均吸収率及び排出半減期（それぞれｋ01半減期、及びｋ01半減期）（平均ＳＤ）は、それぞれ０．０１５５±０．００５８時間及び４．７３８±０．３６６時間であった。血中トリチウムの見かけのクリアランスの平均は、０．１２３５±０．０１８０Ｌ／時であった。
【０１０８】
［3Ｈ］ＡＢＩ−００７由来のトリチウムは、気管内投与後に吸収され分配された。血中トリチウムの経時変化（ｔｉｍｅ  ｃｏｕｒｓｅ）は、平均の吸収及び排出半減期が、それぞれ０．０１５５及び４．７３８時間である、２−コンパートメントモデルによって十分に説明された。投与した用量の約２８％は、気管内投与１０分後に肺で回収された。検査した全ての時点で用量の最大１％未満が、消化管を除く他の組織で回収された。
【０１０９】
予め行った［3Ｈ］Ｃａｐｘｏｌ（商標）での静脈内投与試験から得た結果に基づくと、気管内投与に由来するトリチウムの生体利用能は、この用量グループの３匹の動物では１．２２９±０．２６８（平均±ＳＤ）であった。しかし、生体利用能のこの評価は、総放射能に基づいており、パクリタキセルの真の生体利用能を示すものではないことに留意されたい。
【０１１０】
投薬２４時間後、かなりの量の放射能が、消化管（内容物を含む）に存在した（気管内投与では２７％）。消化管中のトリチウムの存在は、嚥下に続く胆汁中排泄、又は粘膜毛様体のクリアランスを経由する気道からのトリチウムのクリアランスのためであろう。
【実施例２８】
【０１１１】
ＡＢＩ−００７（パクリタキセル）の経口送達
トリチウム化したＡＢＩ−００７を利用して、ラットでの経口胃管栄養の後に、パクリタキセルの経口での生体利用能を判定した。終夜絶食させた５匹のラットにパクリタキセル５．５ｍｇ／ｋｇ入りＡＢＩ−００７を与え（Ａ群）、別の５匹のラット（Ｂ群）はシクロスポリン（５．０ｍｇ／ｋｇ）で前処理し、続いてパクリタキセル５．６ｍｇ／ｋｇを含むＡＢＩ−００７を与えた。０．５、１、２、３、４、５、６、８、１２、２４時間後に得た血液試料について、血液試料中の放射能を燃焼により定量した後、薬物動態分析を実施した。経口での生体利用能を既に得ている静脈内データと比較することによって決定した。結果を下表７に記す。
【０１１２】
【表７】
2005504008.tif 000009
【０１１３】
経口での生体利用能４４％が、ＡＢＩ−００７だけに見られた。これは、パクリタキセルの他の製剤に見られた割合よりはるかに高い。動物をシクロスポリン（ＣｓＡ）で処理したとき、生体利用能は１２１％に増加した。通常、ＣｓＡは、消化管からのパクリタキセルなどの化合物の吸収を妨害するｐ−糖蛋白ポンプの抑制剤として知られているので、これは予想される。１００％を超える生体利用能は、胆汁中排泄され消化管へ行ったパクリタキセルの再吸収によって説明することができる。他の既知の吸収抑制剤、又は促進剤もこの目的に利用することができる。
【０１１４】
本発明は、その特定の好ましい実施形態に関して詳細に記述されているが、変更形態及び変形形態が、記述され、請求される本発明の精神と範囲内にあることは理解されよう。
【図面の簡単な説明】
【０１１５】
【図１】平滑筋細胞の増殖における異なるパクリタキセルの濃度の効果を示す図である。
【図２】平滑筋細胞の遊走における異なるパクリタキセルの濃度の効果を示す図である。
【図１】
2005504008.tif 000010
【図２】
2005504008.tif 000011
【国際公開パンフレット】
2005504008.tif 000012
2005504008.tif 000013
2005504008.tif 000014
2005504008.tif 000015
2005504008.tif 000016
2005504008.tif 000017
2005504008.tif 000018
2005504008.tif 000019
2005504008.tif 000020
2005504008.tif 000021
2005504008.tif 000022
2005504008.tif 000023
2005504008.tif 000024
2005504008.tif 000025
2005504008.tif 000026
2005504008.tif 000027
2005504008.tif 000028
2005504008.tif 000029
2005504008.tif 000030
2005504008.tif 000031
2005504008.tif 000032
2005504008.tif 000033
2005504008.tif 000034
2005504008.tif 000035
2005504008.tif 000036
2005504008.tif 000037
2005504008.tif 000038
2005504008.tif 000039
2005504008.tif 000040
2005504008.tif 000041
2005504008.tif 000042
2005504008.tif 000043
2005504008.tif 000044
2005504008.tif 000045
2005504008.tif 000046
2005504008.tif 000047
2005504008.tif 000048
2005504008.tif 000049
2005504008.tif 000050
2005504008.tif 000051
【国際調査報告】
2005504008.tif 000052